(57)【特許請求の範囲】
【請求項１】
それぞれ固有のアドレスが付された複数の通信ノードと、通信装置とを有する通信システムであって、
前記通信ノードそれぞれは、
前記着信先の通信ノードの着信先アドレスと、前記着信先アドレスと対応する着信先アドレス符号とを、前記通信装置に登録するアドレス登録手段と、
少なくとも、前記通信装置に登録された着信先アドレス符号を記憶する第１の記憶手段と、
前記記憶された着信先アドレス符号が選択されたときに、前記発信元の通信ノードの発信元アドレスとして用いられる前記固有のアドレスと、前記選択された着信先アドレス符号とを用いて、前記着信先の通信ノードとの通信を、前記通信装置に対して要求する通信要求手段と
を有し、
前記通信装置は、
前記登録された着信先アドレスおよびアドレス符号と、これらを登録した発信元の通信ノードのアドレスとを、対応付けて記憶する第２の記憶手段と、
前記発信元の通信ノードからの通信の要求があったときに、前記第２の記憶手段を検索し、前記発信元アドレスと前記着信先アドレス符号とに対応する着信先アドレスを、この検索の結果として得る検索手段と、
前記検索により得られた着信先アドレスを用いて、前記発信元の通信ノードと前記着信先の通信ノードとの間の通信を可能とし、前記発信元アドレス符号を、前記着信先の通信ノードに通知する通信手段と、
前記検索の際に、前記第２の記憶手段に、前記着信先アドレスに、前記発信元アドレス符号が対応付けられて記憶されていないときに、前記発信元アドレスに対応する発信元アドレス符号を生成するアドレス符号生成手段と
を有する
通信システム。
【請求項２】
前記アドレス符号生成手段は、前記着信先アドレスおよび前記生成された発信元アドレス符号と、前記発信元アドレスとを対応付けて、前記第２の記憶手段に記憶させる
請求項１に記載の通信システム。
【請求項３】
前記発信元の通信ノードにおいて、
前記第１の記憶手段は、アドレス管理装置に登録された着信先の通信ノードの情報を、アドレス管理装置に登録された着信先アドレス符号と対応付けてさらに記憶し、
前記通信要求手段は、前記記憶された着信先アドレス符号および前記着信先の通信ノードの情報またはこれらのいずれかが選択されたときに、前記発信元アドレスと、前記選択された着信先アドレス符号または前記選択された着信先の通信ノードの情報に対応する着信先アドレス符号とを用いて、前記着信先の通信ノードとの通信を、前記通信装置に対して要求する
請求項１または２に記載の通信システム。
【請求項４】
前記通信装置において、
前記通信手段は、前記生成された発信元アドレス符号を、前記着信先の通信ノードに通知し、前記生成された発信元アドレス符号に対応する発信元の通信ノードの情報を、前記着信先の通信ノードにさらに通知し、
前記着信先の通信ノードにおいて、
前記通信要求手段は、前記通知された発信元アドレス符号および前記発信元の通信ノードの情報またはこれらのいずれかが選択されたときに、前記着信先アドレスと、前記選択された発信元アドレス符号または前記選択された発信元の通信ノードの情報に対応する発信元アドレス符号とを用いて、前記発信元の通信ノードとの通信を、前記通信装置に対して要求する
請求項３に記載の通信システム。
【請求項５】
それぞれ固有のアドレスが付された複数の通信ノードと、通信装置と、アドレス管理装置とを有するアドレス管理システムであって、
前記通信ノードそれぞれは、
前記着信先の通信ノードの着信先アドレスと、前記着信先アドレスと対応する着信先アドレス符号とを、前記アドレス管理装置に登録するアドレス登録手段と、
少なくとも、前記アドレス管理装置に登録された着信先アドレス符号を記憶する第１の記憶手段と、
前記記憶された着信先アドレス符号が選択されたときに、前記発信元の通信ノードの発信元アドレスとして用いられる前記固有のアドレスと、前記選択された着信先アドレス符号とを用いて、前記着信先の通信ノードとの通信を、前記通信装置に対して要求する通信要求手段と
を有し、
前記通信装置は、
前記発信元の通信ノードからの通信の要求があったときに、この要求に用いられた発信元アドレスと着信先アドレス符号とに対応する着信先アドレスの検索を、前記アドレス管理装置に対して要求する検索要求手段と、
前記検索要求に応じて返された着信先アドレスを用いて、前記発信元の通信ノードと前記着信先の通信ノードとの間の通信を可能とし、前記検索要求に応じて返された発信元アドレス符号を、前記着信先の通信ノードに通知する通信手段と
を有し、
前記アドレス管理装置は、
前記登録された着信先アドレスおよびアドレス符号と、これらを登録した発信元の通信ノードのアドレスとを、対応付けて記憶する第２の記憶手段と、
前記通信装置からの検索要求に応じて、前記第２の記憶手段を検索し、この検索の結果として得られた発信元アドレスと着信先アドレス符号とに対応する着信先アドレス、および、前記発信元アドレス符号を、前記通信装置に返す検索手段と、
前記検索の際に、前記第２の記憶手段に、前記発信元アドレスおよび前記発信元アドレス符号と、前記着信先アドレスとが対応付けられて記憶されていないときに、前記発信元アドレスに対応する発信元アドレス符号を生成するアドレス符号生成手段と、
を有する
アドレス管理システム。
【請求項６】
それぞれ固有のアドレスが付された複数の通信ノードと、通信装置とを有するアドレス管理システムの前記通信装置であって、
前記通信ノードそれぞれは、
前記着信先の通信ノードの着信先アドレスと、前記着信先アドレスと対応する着信先アドレス符号とを、前記通信装置に登録し、
少なくとも、前記通信装置に登録された着信先アドレス符号を記憶し、
前記記憶された着信先アドレス符号が選択されたときに、前記発信元の通信ノードの発信元アドレスとして用いられる前記固有のアドレスと、前記選択された着信先アドレス符号とを用いて、前記着信先の通信ノードとの通信を、前記通信装置に対して要求し、
前記通信装置は、
前記登録された着信先アドレスおよびアドレス符号と、これらを登録した発信元の通信ノードのアドレスとを、対応付けて記憶する記憶手段と、
前記発信元の通信ノードからの通信の要求があったときに、前記記憶手段を検索し、発信元アドレスと着信先アドレス符号とに対応する着信先アドレス、および、前記発信元アドレス符号を、この検索の結果として得る検索手段と、
前記検索により得られた着信先アドレスを用いて、前記発信元の通信ノードと前記着信先の通信ノードとの間の通信を可能とし、前記検索要求に応じて返された発信元アドレス符号を、前記着信先の通信ノードに通知する通信手段と、
前記検索の際に、前記記憶手段に、前記発信元アドレスおよび前記発信元アドレス符号と、前記着信先アドレスとが対応付けられて記憶されていないときに、前記発信元アドレスに対応する発信元アドレス符号を生成するアドレス符号生成手段と
を有する通信装置。
【請求項７】
それぞれ固有のアドレスが付された複数の通信ノードと、通信装置と、アドレス管理装置とを有するアドレス管理システムの前記アドレス管理装置であって、
前記通信ノードそれぞれは、
前記着信先の通信ノードの着信先アドレスと、前記着信先アドレスと対応する着信先アドレス符号とを、前記アドレス管理装置に登録し、
少なくとも、前記アドレス管理装置に登録された着信先アドレス符号を記憶し、
前記記憶された着信先アドレス符号が選択されたときに、前記発信元の通信ノードの発信元アドレスとして用いられる前記固有のアドレスと、前記選択された着信先アドレス符号とを用いて、前記着信先の通信ノードとの通信を、前記通信装置に対して要求し、
前記通信装置は、
前記発信元の通信ノードからの通信の要求があったときに、この要求に用いられた発信元アドレスと着信先アドレス符号とに対応する着信先アドレスの検索を、前記アドレス管理装置に対して要求し、
前記検索要求に応じて返された着信先アドレスを用いて、前記発信元の通信ノードと前記着信先の通信ノードとの間の通信を可能とし、前記検索要求に応じて返された発信元アドレス符号を、前記着信先の通信ノードに通知し、
前記アドレス管理装置は、
前記登録された着信先アドレスおよびアドレス符号と、これらを登録した発信元の通信ノードのアドレスとを、対応付けて記憶する記憶手段と、
前記通信装置からの検索要求に応じて、前記記憶手段を検索し、この検索の結果として得られた発信元アドレスと着信先アドレス符号とに対応する着信先アドレス、および、前記発信元アドレス符号を、前記通信装置に返す検索手段と、
前記検索の際に、前記記憶手段に、前記発信元アドレスおよび前記発信元アドレス符号と、前記着信先アドレスとが対応付けられて記憶されていないときに、前記発信元アドレスに対応する発信元アドレス符号を生成するアドレス符号生成手段と
を有するアドレス管理装置。
【請求項８】
それぞれ固有のアドレスが付された複数の発信元の通信ノードと、複数の着信先の通信ノードと、通信装置と、前記複数の発信元の通信ノードそれぞれに対応するアドレス符号表示装置とを有する通信システムであって、
前記アドレス符号表示装置は、前記着信先の通信ノードの着信先アドレスと対応する着信先アドレス符号を表示し、
前記通信ノードそれぞれは、前記着信先アドレス符号の表示に対する操作に応じて、前記着信先アドレス符号を選択し、前記選択された着信先アドレス符号と、前記発信元の通信ノードの発信元アドレスとして用いられる前記固有のアドレスとを用いて、前記着信先の通信ノードとの通信を、前記通信装置に対して要求し、
前記通信装置は、
前記着信先アドレスおよびアドレス符号と、これらを登録した発信元の通信ノードのアドレスとを、対応付けて記憶する記憶手段と、
前記発信元の通信ノードからの通信の要求があったときに、前記記憶手段を検索し、発信元アドレスと着信先アドレス符号とに対応する着信先アドレス、および、前記発信元アドレス符号を、この検索の結果として得る検索手段と、
前記検索により得られた着信先アドレスを用いて、前記発信元の通信ノードと前記着信先の通信ノードとの間の通信を可能とする通信手段と、
前記検索の際に、前記記憶手段に、前記発信元アドレスおよび前記発信元アドレス符号と、前記着信先アドレスとが対応付けられて記憶されていないときに、前記発信元アドレスに対応する発信元アドレス符号を生成するアドレス符号生成手段と
を有する
通信システム。
【請求項９】
それぞれ固有のアドレスが付された複数の通信ノードと、通信装置とを有するアドレス管理システムの前記通信装置による通信方法であって、
前記通信ノードそれぞれは、
前記着信先の通信ノードの着信先アドレスと、前記着信先アドレスと対応する着信先アドレス符号とを、前記通信装置に登録し、
少なくとも、前記通信装置に登録された着信先アドレス符号を記憶し、
前記記憶された着信先アドレス符号が選択されたときに、前記発信元の通信ノードの発信元アドレスとして用いられる前記固有のアドレスと、前記選択された着信先アドレス符号とを用いて、前記着信先の通信ノードとの通信を、前記通信装置に対して要求し、
前記通信装置は、
前記登録された着信先アドレスおよびアドレス符号と、これらを登録した発信元の通信ノードのアドレスとを、対応付けて記憶する記憶ステップと、
前記発信元の通信ノードからの通信の要求があったときに、前記記憶された着信先アドレス、アドレス符号および発信元アドレスを検索し、前記発信元アドレスと着信先アドレス符号とに対応する着信先アドレス、および、前記発信元アドレス符号を、この検索の結果として得る検索ステップと、
前記検索により得られた着信先アドレスを用いて、前記発信元の通信ノードと前記着信先の通信ノードとの間の通信を可能とし、前記検索要求に応じて返された発信元アドレス符号を、前記着信先の通信ノードに通知する通信ステップと、
前記発信元アドレスおよび前記発信元アドレス符号と、前記着信先アドレスとが対応付けられて記憶されていないときに、前記発信元アドレスに対応する発信元アドレス符号を生成するアドレス符号生成ステップと
を実行する通信方法。
【請求項１０】
それぞれ固有のアドレスが付された複数の通信ノードと、コンピュータを有する通信装置とを含むアドレス管理システムにおける前記通信装置の通信プログラムであって、
前記通信ノードそれぞれは、
前記着信先の通信ノードの着信先アドレスと、前記着信先アドレスと対応する着信先アドレス符号とを、前記通信装置に登録し、
少なくとも、前記通信装置に登録された着信先アドレス符号を記憶し、
前記記憶された着信先アドレス符号が選択されたときに、前記発信元の通信ノードの発信元アドレスとして用いられる前記固有のアドレスと、前記選択された着信先アドレス符号とを用いて、前記着信先の通信ノードとの通信を、前記通信装置に対して要求し、
前記通信装置は、
前記登録された着信先アドレスおよびアドレス符号と、これらを登録した発信元の通信ノードのアドレスとを、対応付けて記憶する記憶ステップと、
前記発信元の通信ノードからの通信の要求があったときに、前記記憶された着信先アドレス、アドレス符号および発信元アドレスを検索し、前記発信元アドレスと着信先アドレス符号とに対応する着信先アドレス、および、前記発信元アドレス符号を、この検索の結果として得る検索ステップと、
前記検索により得られた着信先アドレスを用いて、前記発信元の通信ノードと前記着信先の通信ノードとの間の通信を可能とし、前記検索要求に応じて返された発信元アドレス符号を、前記着信先の通信ノードに通知する通信ステップと、
前記発信元アドレスおよび前記発信元アドレス符号と、前記着信先アドレスとが対応付けられて記憶されていないときに、前記発信元アドレスに対応する発信元アドレス符号を生成する通信プログラム。
【発明の詳細な説明】
【技術分野】
【０００１】
本発明は、電話および電子メールアドレスなどによる通信を実現する通信システムおよびその方法に関する。
【背景技術】
【０００２】
例えば、特許文献１は、ＩＣカードを用いて、盗難されたり紛失されたりした携帯電話機などの不正利用を防止するための方法を開示する。
また、例えば、特許文献２は、パスワードを用いて、携帯電話機からの情報漏洩を防止する方法を開示する。
また、例えば、特許文献３は、携帯電話機側ではなく、ネットワークに接続されたサーバを用いて、電話帳情報を管理する方法を開示する。
【特許文献１】特開２００５−８４８４６号公報
【特許文献２】特開２００６−６７１３０号公報
【特許文献３】特開２００７−１２３９５９号公報
【発明の開示】
【発明が解決しようとする課題】
【０００３】
本発明は、上述した背景からなされ、携帯電話機などの通信ノードからの情報漏洩を、効果的に防止できるように改良された通信システムおよびその方法を提供することを目的とする。
【課題を解決するための手段】
【０００４】
上記目的を達成するために、本発明にかかる通信システムは、それぞれ固有のアドレスが付された複数の通信ノードと、通信装置とを有する通信システムであって、前記通信ノードそれぞれは、前記着信先の通信ノードの着信先アドレスと、前記着信先アドレスと対応する着信先アドレス符号とを、前記通信装置に登録するアドレス登録手段と、少なくとも、前記通信装置に登録された着信先アドレス符号を記憶する第１の記憶手段と、前記記憶された着信先アドレス符号が選択されたときに、前記発信元の通信ノードの発信元アドレスとして用いられる前記固有のアドレスと、前記選択された着信先アドレス符号とを用いて、前記着信先の通信ノードとの通信を、前記通信装置に対して要求する通信要求手段とを有し、前記通信装置は、前記登録された着信先アドレスおよびアドレス符号と、これらを登録した発信元の通信ノードのアドレスとを、対応付けて記憶する第２の記憶手段と、前記発信元の通信ノードからの通信の要求があったときに、前記第２の記憶手段を検索し、前記発信元アドレスと前記着信先アドレス符号とに対応する着信先アドレスを、この検索の結果として得る検索手段と、前記検索により得られた着信先アドレスを用いて、前記発信元の通信ノードと前記着信先の通信ノードとの間の通信を可能とし、前記発信元アドレス符号を、前記着信先の通信ノードに通知する通信手段と、前記検索の際に、前記第２の記憶手段に、前記着信先アドレスに、前記発信元アドレス符号が対応付けられて記憶されていないときに、前記発信元アドレスに対応する発信元アドレス符号を生成するアドレス符号生成手段とを有する。
【発明の効果】
【０００５】
本発明にかかる通信システムおよびその方法によれば、携帯電話機などの通信ノードからの情報漏洩を、効果的に防止できる。
【発明を実施するための最良の形態】
【０００６】
［携帯電話システム１］
以下、本発明の実施形態を説明する。
図１は、本発明にかかるアドレス管理方法が適用される携帯電話システム１の構成を例示する図である。
なお、本発明にかかるアドレス管理方法は、携帯電話システムなどの無線通信システムだけでなく、固定電話機などの有線通信システムにも適用可能であるが、ここでは、説明の具体化および明確化のために、本発明にかかるアドレス管理方法が、携帯電話システムに適用される場合が具体例とされる。
【０００７】
図１に示すように、携帯電話システム１は、携帯電話ネットワーク１０２に接続された基地局３−１〜３−ｎと、基地局３（通信装置）と無線通信回線を介して接続された携帯電話機２−１〜２−ｎ（通信ノード）、基地局３−１に接続されたメールサーバ１０４−１〜１０４−ｎ、メールサーバ１０４−１，１０４−２にそれぞれ接続されたインターネット１００およびＬＡＮ(Local Area Network)あるいはＷＡＮ(Wide Area Network)１０６、インターネット１００に接続されたコンピュータ（ＰＣ）１０８−１（通信ノード）、ＬＡＮ／ＷＡＮ１０６に接続されたＰＣ１０８−ｎ（携帯電話機２についてｎ≧２，その他の構成部分についてｎ≧１，図１にはｎ＝２の場合が例示）、および、携帯電話ネットワーク１０２に接続されたアドレス管理サーバ４（アドレス管理装置）から構成される。
【０００８】
なお、以下、「基地局３−１〜３−ｎ」など、複数、存在しうる構成部分のいずれかが、特定されずに示されるときには、単に「基地局３」などと略記される。
また、図１に示された携帯電話システム１の各構成部分の数は例示である。
また、基地局３とアドレス管理サーバ４とは、携帯電話システム１の用途・構成などに応じて、別々に構成されたり、一体に構成されたりしうる。
また、以下の各図において、実質的に同じ構成部分および処理には、同じ符号が付される。
また、メールサーバ１０４、ＰＣ１０８、携帯電話機２、基地局３およびアドレス管理サーバ４は、総称されて「ノード」と記されることがある。
また、携帯電話機２およびＰＣ１０８は、特に総称されて「通信ノード」と記されることがある。
【０００９】
また、携帯電話機２それぞれの電話番号および電子メールアドレスは、総称されて「アドレス」と記されることがある。
また、携帯電話機２−ｉが、携帯電話機２−ｊに対して発信を行ったときには、携帯電話機２−ｉが発信元の携帯電話機となり、携帯電話機２−ｊが着信先の携帯電話機となる（携帯電話機２についてｎ≧ｉ，ｊ≧１，ｉ≠ｊ）。
つまり、携帯電話機２は、それぞれ、発信元の携帯電話機にも、着信先の携帯電話機ともなりうるが、以下の説明においては、説明の具体化・明確化のために、ユーザＸの携帯電話機２が発信側となり、ユーザＹの携帯電話機２が着信側となる場合が具体例とされる（Ｘ≠Ｙ）。
【００１０】
また、携帯電話システム１においては、携帯電話機２とＰＣ１０８との間の電子メール通信、および、携帯電話機２同士間の電子メール通信も可能（任意の通信ノード間で電子メール通信が可能）であるが、以下、説明の具体化・明確化のために、携帯電話機２同士の電子メール通信が具体例として挙げられている。
携帯電話システム１は、これらの構成部分により、携帯電話機２に、実際の着信先のアドレスを記憶させずに、着信先のアドレスを示す符号（アドレス符号；電話番号符号・電子メールアドレス符号）のみを記憶させ、アドレス帳機能を実現し、携帯電話機２の紛失時などに生じうるアドレスなどの個人情報漏洩を効果的に防止する。
【００１１】
［ハードウエア構成］
以下、携帯電話システム１の各構成部分のハードウエア構成を説明する。
図２は、図１に示したメールサーバ１０４、ＰＣ１０８、携帯電話機２およびアドレス管理サーバ４のハードウエア構成を例示する図である。
図２に示すように、携帯電話システム１のこれらの構成部分は、ＣＰＵ１２２およびメモリ１２４などを含む本体１２０、キーボードおよび表示装置などを含む入出力装置１２６、他のノードとインターネット１００などを介して通信を行うための通信装置１２８、ＣＤ装置・ＨＤＤなど、ＣＤ・ＨＤなどの記録媒体１３２に対するデータの記録・再生を行う記録装置１３０から構成される。
【００１２】
なお、一般に知られているように、携帯電話機２においては、本体１２０、入出力装置１２６および通信装置１２８は、省略され、携帯電話機として一体に構成される。
また、携帯電話機２の入出力装置１２６には、通話のためのマイクロフォンおよびスピーカが含まれ、キーボードの代わりに、テンキーなど、携帯電話機のために適した入力装置が、適宜、用いられる。
また、携帯電話機２には、無線通信回線を介した通信のために、アンテナ３００（図２に図示せず、図1などを参照）が設けられる。
つまり、携帯電話システム１のこれらの構成部分は、他のノードと通信可能なコンピュータとしての構成部分を含んでいる。
【００１３】
図３は、図１に示した基地局３のハードウエア構成を例示する図である。
図３に示すように、基地局３は、図２に示したメールサーバ１０４などの構成部分に、アンテナ３００および無線通信回線を介して携帯電話機２との間で通信を行う無線通信装置３０４、通話のために携帯電話機２の間を回線交換により接続するためのプログラマブル交換機３０２、携帯電話ネットワーク１０２とプログラマブル交換機３０２とを接続するための携帯電話ネットワークインターフェース（ＩＦ）３０６、および、音声応答・ＶＭ(Voice Mail)装置３０８を付加した構成をとる。
つまり、基地局３は、他のノードと通信可能なコンピュータとしての構成部分と、携帯電話システム１における基地局３として必要な機能（回線交換機能・音声応答機能・ボイスメール機能など）を実現するための構成部分とを有する。
【００１４】
［ソフトウエア］
以下、携帯電話システム１の各構成部分において動作するソフトウエアを説明する。
図４は、図１に示した携帯電話システム１の携帯電話機２において実行される電話機制御プログラム２０の構成を示す図である。
図４に示すように、電話機制御プログラム２０は、ユーザインターフェース部（ＵＩ部）２００、着信先アドレス登録部２０２、着信先アドレス符号登録部２０４（アドレス登録手段）、アドレス符号データベース（ＤＢ）２０６（第１の記憶手段）、発信処理部２０８（通信要求手段）、通信処理部２１０、着信処理部２２０および発信元アドレス符号登録部２２２から構成される。
なお、図４において、電話機制御プログラム２０の内、本願発明の説明に直接、関係ない構成部分は、省略されている（以下の各プログラムについて同様）。
電話機制御プログラム２０は、例えば、記録媒体１３２を介して、あるいは、メモリ１２４に含まれる不揮発性メモリを介して携帯電話機２に供給され、メモリ１２４にロードされ、携帯電話機２上で動作されるＯＳ上で、携帯電話機２のハードウエア資源を具体的に利用して実行される（以下の各プログラムについて同様）。
【００１５】
電話機制御プログラム２０は、これらの構成部分により、一般的な携帯電話機としての通話機能および電子メール通信機能を実現する。
ただし、電話機制御プログラム２０は、発信時に電話番号・電子メールアドレスを選択するためのアドレス帳機能を、着信先の携帯電話機２の実際の電話番号・電子メールアドレスを記憶せず、これらに対応する電話番号符号・電子メールアドレス符号、および、発信元の電話番号の情報（発信元の携帯電話機２の持ち主の名前など）のみを記憶して、実現することができる。
【００１６】
図５は、図４に示したアドレス符号ＤＢ２０６に記憶される着信先のアドレス符号および着信先の情報を例示する図であって、（Ａ）は、着信先の電話番号符号と、この電話番号符号に対応する着信先情報を示し、（Ｂ）は、着信先の電子メールアドレス符号と、この電子メールアドレス符号に対応する着信先情報を示す。
図６は、図４に示したアドレス符号ＤＢ２０６に記憶される発信元のアドレス符号および発信元の情報を例示する図であって、（Ａ）は、発信元の電話番号符号と、この電話番号符号に対応する発信元情報を示し、（Ｂ）は、発信元の電子メールアドレス符号と、この電子メールアドレス符号に対応する発信元情報を示す。
なお、図５（Ａ），（Ｂ），図６（Ａ），（Ｂ）に示したように対応付けられた着信先の携帯電話機２のアドレス符号と、着信先の携帯電話機２の情報とは、携帯電話機２側において、いわゆるアドレス帳を構成する。
電話機制御プログラム２０のＵＩ部２００は、携帯電話機２の入出力装置１２６に対する操作を受け入れ、受け入れた操作を示す情報を、電話機制御プログラム２０の各構成部分に対して出力し、これらの処理を制御する。
【００１７】
また、ＵＩ部２００は、図５（Ａ），（Ｂ）に示した着信先の携帯電話機２のアドレス符号（電話番号符号・電子メールアドレス符号）と、これに対応する着信先の携帯電話機２の情報とを入出力装置１２６に表示し、この表示に対する選択操作を受け入れる。
また、ＵＩ部２００は、図５（Ａ），（Ｂ）に示したアドレス符号と、これに対応する発信元の情報とを、アドレス符号ＤＢ２０６に登録するためのＵＩ画像を、携帯電話機２の入出力装置１２６の表示装置に表示し、登録操作を受け入れる。
また、ＵＩ部２００は、図６（Ａ），（Ｂ）に示した着信先の携帯電話機２のアドレス符号と、これに対応する着信先の携帯電話機２の情報とを入出力装置１２６に表示し、この表示に対する選択操作を受け入れる。
また、ＵＩ部２００は、図６（Ａ），（Ｂ）に示したアドレス符号と、これに対応する発信元の情報とを、アドレス符号ＤＢ２０６に登録するためのＵＩ画像を、携帯電話機２の入出力装置１２６の表示装置に表示し、登録操作を受け入れる。
【００１８】
発信元のユーザＸの携帯電話機２上で動作する電話機制御プログラム２０の発信処理部２０８は、ＵＩ部２００が受け入れた入出力装置１２６に対する操作に応じて選択された着信先のユーザＹの携帯電話機２のアドレス符号と、発信元のユーザＸの携帯電話機２に付されたアドレス（図５（Ａ），（Ｂ））とが付された発信要求を基地局３に対して送信するなど、基地局３を介した着信先のユーザＹの携帯電話機２への通話および電子メール通信のための発信処理を行う。
また、発信元のユーザＸの携帯電話機２上で動作する電話機制御プログラム２０の発信処理部２０８は、発信処理の後、基地局３を介した着信先の携帯電話機２との通話および電子メール通信を行うための処理を行う。
【００１９】
着信先のユーザＹの携帯電話機２上で動作する電話機制御プログラム２０の着信処理部２２０は、ＵＩ部２００が受け入れた入出力装置１２６に対する操作に応じて、発信元のユーザＸの携帯電話機２から着信先のユーザＹの携帯電話機２への基地局３を介した通話および電子メール通信のための着信処理を行う。
また、着信先のユーザＹの携帯電話機２上で動作する電話機制御プログラム２０の着信処理部２２０は、着信処理の後、基地局３を介した発信元の携帯電話機２との通話および電子メール通信を行うための処理を行う。
携帯電話機２１０は、基地局３を介してアドレス管理サーバ４との通信を行うための処理を行う。
【００２０】
着信先アドレス符号登録部２０４は、ＵＩ部２００が受け入れた操作に応じて、図５（Ａ）に示すように、通話の際に選択される着信先のユーザＹの携帯電話機２の電話番号を示す電話番号符号（Ａ−Ｂ−１００）と、着信先のユーザＹの携帯電話機２の情報（ユーザＹの名前・住所など）とを対応付けて、アドレス符号ＤＢ２０６に登録する。
また、着信先アドレス符号登録部２０４は、ＵＩ部２００が受け入れた操作に応じて、図５（Ｂ）に示すように、電子メール送信の際に選択される着信先のユーザＹの携帯電話機２の電子メールアドレスを示す電子メールアドレス符号（１００＠Ｄ）と、着信先のユーザＹの携帯電話機２の情報とを対応付けて、アドレス符号ＤＢ２０６に登録する。
ただし、アドレス符号ＤＢ２０６への登録の際に、電話番号と電子メールアドレスとが、同一の携帯電話機２の情報を共有することも可能である（以下、携帯電話機２の情報について同様）。
【００２１】
着信先アドレス符号登録部２０４が登録する電話番号符号（Ａ−Ｂ−１００）の内、「Ａ」は、例えば、電話会社の選択のために用いられる番号であり、「Ｂ」は、アドレス帳利用を示す番号であり、「１００」は、短縮ダイヤル番号のように、着信先の携帯電話機２それぞれに任意に付される番号であって、電話番号符号（Ａ−Ｂ−１００）は、着信先の携帯電話機２の実際の電話番号（Ｙ’）とは異なっている（「Ａ−Ｂ−１００」≠「Ｙ’」）。
着信先アドレス符号登録部２０４が登録する電子メールアドレス符号（１００＠Ｄ）の内、「１００」は、着信先の携帯電話機２それぞれに任意に付される番号であり、「＠Ｄ」は、例えば、ユーザＸが加入しているインターネットプロバイダのドメイン名であり、電子メールアドレス符号（１００＠Ｄ）は、着信先の携帯電話機２の実際の電子メールアドレス（Ｙ”）とは異なっている（「１００＠Ｄ」≠「Ｙ”」）。
【００２２】
発信元アドレス符号登録部２２２は、ＵＩ部２００が受け入れた操作に応じて、図６（Ａ）に示すように、アドレス管理サーバ４から基地局３を介して通知された発信元のユーザＸの携帯電話機２の電話番号を示す電話番号符号（Ａ−Ｂ−２００）と、発信元の携帯電話機２の情報（ユーザＸの名前・住所など）とを対応付けて、アドレス符号ＤＢ２０６に登録する。
また、発信元アドレス符号登録部２２２は、ＵＩ部２００が受け入れた操作に応じて、図６（Ｂ）に示すように、アドレス管理サーバ４から基地局３を介して通知された発信元のユーザＸの携帯電話機２の電子メールアドレスを示す電子メールアドレス符号（２００＠Ｅ）と、着信先のユーザＸの携帯電話機２の情報とを対応付けて、アドレス符号ＤＢ２０６に登録する。
【００２３】
上述のように、発信元アドレス符号登録部２２２が登録する電話番号符号（Ａ−Ｂ−２００）の内、「Ａ」は、上述のように、例えば、電話会社の選択のために用いられる番号であり、「Ｂ」は、アドレス帳利用を示す番号であり、「２００」は、着信先の携帯電話機２それぞれに任意に付される番号であって、電話番号符号（Ａ−Ｂ−２００）は、発信元の携帯電話機２の実際の電話番号（Ｘ’）とは異なっている（「Ａ−Ｂ−２００」≠「Ｘ’」）。
また、上述のように、電子メールアドレス符号（２００＠Ｅ）の内、「２００」は、着信先の携帯電話機２それぞれに任意に付される番号であり、「＠Ｅ」は、例えば、ユーザＹが加入しているインターネットプロバイダのドメイン名であり、電子メールアドレス符号（２００＠Ｅ）は、着信先の携帯電話機２の実際の電子メールアドレス（Ｘ”）とは異なっている（「２００＠Ｅ」≠「Ｘ”」）。
【００２４】
図７は、図１に示したアドレス管理サーバ４に登録されるアドレス符号、アドレスおよび携帯電話機２の情報を例示する図であって、（Ａ）は、ユーザＸの携帯電話機２からアドレス管理サーバ４に登録されるユーザＹのアドレス符号、アドレス（Ｙ’，Ｙ”）および携帯電話機２の情報を示し、（Ｂ）は、ユーザＹの携帯電話機２からアドレス管理サーバ４に登録されるユーザＸの携帯電話機２のアドレス符号、アドレス（Ｘ’，Ｘ”）および携帯電話機２の情報を示す。
なお、図７（Ａ），（Ｂ）に示したように対応付けられたこれらの情報もまた、図６（Ａ），（Ｂ），図５（Ａ），（Ｂ）に示した情報と同様に、アドレス管理サーバ４側において、いわゆるアドレス帳を構成する。
発信元のユーザＸの携帯電話機２上で動作する電話機制御プログラム２０の着信先アドレス登録部２０２は、ＵＩ部２００に対するユーザの操作に応じて、図７（Ａ）に示すように、着信先のユーザＹの携帯電話機２の電話番号符号（Ａ−Ｂ−１００）と、その実際の電話番号Ｙ’と、ユーザＹの携帯電話機２の情報の内、電話番号Ｙ’に関する情報とを、通信処理部２１０を介して、アドレス管理サーバ４に対して送信し、これらの登録を要求する。
また、同様に、発信元のユーザＸの携帯電話機２上で動作する電話機制御プログラム２０の着信先アドレス登録部２０２は、ＵＩ部２００に対するユーザの操作に応じて、図７（Ａ）に示すように、着信先のユーザＹの携帯電話機２の電子メールアドレス符号（１００＠Ｄ）と、その実際の電子メールアドレスＹ”と、ユーザＹの携帯電話機２の情報の内、電子メールアドレスＹ”に関する情報とを、通信処理部２１０を介して、アドレス管理サーバ４に対して送信し、これらの登録を要求する。
【００２５】
着信先のユーザＹの携帯電話機２上で動作する電話機制御プログラム２０の着信先アドレス登録部２０２は、ＵＩ部２００に対するユーザの操作に応じて、図７（Ｂ）に示すように、発信元のユーザＸの携帯電話機２の電話番号符号（Ａ−Ｂ−２００）と、その実際の電話番号Ｘ'と、ユーザＹの携帯電話機２の情報の内、電話番号Ｙ'に関する情報とを、通信処理部２１０を介して、アドレス管理サーバ４に対して送信し、これらの登録を要求する。
また、同様に、着信先のユーザＹの携帯電話機２上で動作する電話機制御プログラム２０の着信先アドレス登録部２０２は、ＵＩ部２００に対するユーザの操作に応じて、図７（Ｂ）に示すように、着信先のユーザＸの携帯電話機２の電子メールアドレス符号（２００＠Ｅ）と、その実際の電子メールアドレスＸ"と、ユーザＸの携帯電話機２の情報の内、電子メールアドレスＸ"に関する情報とを、通信処理部２１０を介して、アドレス管理サーバ４に対して送信し、これらの登録を要求する。
【００２６】
図８は、図１に示した携帯電話システム１の基地局３において実行される基地局制御プログラム３２の構成を示す図である。
図９は、図１に示した携帯電話システム１のアドレス管理サーバ４上において実行されるアドレス管理プログラム４０の構成を示す図である。
図８に示すように、基地局制御プログラム３２は、着信先情報受信部３２０、着信先アドレス検索部３２２、着信先アドレス変換部３２４、発信処理部３２６（通信手段）および着信処理部３２８から構成される。
図９に示すように、アドレス管理プログラム４０は、検索要求受信部４００、登録要求受信部４０２、登録処理部４０４、アドレスＤＢ４１０（第２の記憶手段）、検索処理部４２０（検索手段）、検索結果送信部４２２、発信元アドレス符号作成部４３０（アドレス符号生成手段）および発信元アドレス送信部４３２から構成される。
【００２７】
なお、基地局３とアドレス管理サーバ４とが一体に構成されるときには、基地局制御プログラム３２およびアドレス管理サーバ４０もまた、不要な部分を適宜、省略の上、一体に構成される。
基地局制御プログラム３２およびアドレス管理プログラム４０は、これらの構成部分により、一般的な携帯電話機２の間の通話・電子メール通信を提供する。
また、アドレス管理プログラム４０は、携帯電話機２に対して、アドレス帳機能を提供し、さらに、着信先の携帯電話機２用のアドレス帳に、発信元の携帯電話機２のアドレスが登録されていないときに、発信元の携帯電話機２のアドレス符号を自動的に作成し、その実際のアドレスおよび情報と対応付けて登録する。
【００２８】
基地局制御プログラム３２（図８）の着信先情報受信部３２０は、基地局３を介した携帯電話機２（電話機制御プログラム２０の発信処理部２０８；図４）からの発信要求を受けて、発信処理部３２６に対して出力する。
また、着信先情報受信部３２０は、発信要求に付された発信元のユーザＸの携帯電話機２のアドレス（Ｘ’，Ｘ”）と、着信先のユーザＹの携帯電話機２のアドレス符号（Ａ−Ｂ−１００，１００＠Ｄ）とを、着信先アドレス検索部３２２および着信先アドレス変換部３２４に対して出力する。
【００２９】
着信先アドレス検索部３２２は、着信先情報受信部３２０から入力された発信元のユーザＸの携帯電話機２のアドレスと、着信先のユーザＹの携帯電話機２のアドレス符号とを、アドレス管理サーバ４に対して送信し、着信先のユーザＹの携帯電話機２のアドレスの検索を要求する。
また、着信先アドレス検索部３２２は、検索の結果としてアドレス管理サーバ４から返された着信先のユーザＹの携帯電話機２のアドレス（Ｙ’，Ｙ”）を、着信先アドレス変換部３２４に対して出力する。
着信先アドレス変換部３２４は、着信先情報受信部３２０から入力された着信先のユーザＹの携帯電話機２のアドレス符号（Ａ−Ｂ−１００，１００＠Ｄ）を、着信先アドレス検索部３２２から入力された着信先の携帯電話機２のユーザＹのアドレス（Ｙ’，Ｙ”）に変換し、発信処理部３２６に対して出力する。
【００３０】
発信処理部３２６は、着信先情報受信部３２０から入力された発信要求と、着信先アドレス変換部３２４から入力された着信先のユーザＹの携帯電話機２のアドレス（電話番号Ｙ’）とを用いて、プログラマブル交換機３０２（図３）を制御し、ユーザＸの携帯電話機２と、ユーザＹの携帯電話機２との間の通話のための発信処理を行う。
また、発信処理部３２６は、着信先情報受信部３２０から入力された発信要求と、着信先アドレス変換部３２４から入力された着信先のユーザＹの携帯電話機２のアドレス（電子メールアドレスＹ”）とを、メールサーバ１０４（図１）に対して出力し、ユーザＸの携帯電話機２と、ユーザＹの携帯電話機２との間の電子メール通信のための発信処理を行う。
【００３１】
発信処理部３２６は、着信先情報受信部３２０から入力された発信要求と、着信先アドレス変換部３２４から入力された着信先のユーザＹの携帯電話機２のアドレス（電話番号Ｙ’）とを用いて、プログラマブル交換機３０２（図３）を制御し、ユーザＸの携帯電話機２と、ユーザＹの携帯電話機２との間の通話のための発信処理を行う。
また、発信処理部３２６は、着信先情報受信部３２０から入力された発信要求と、着信先アドレス変換部３２４から入力された着信先のユーザＹの携帯電話機２のアドレス（電子メールアドレスＹ”）とを、メールサーバ１０４（図１）に対して出力し、ユーザＸの携帯電話機２と、ユーザＹの携帯電話機２との間の電子メール通信のための発信処理を行う。
【００３２】
着信処理部３２８は、プログラマブル交換機３０２（図３）あるいはメールサーバ１０４（図１）を介して、発信元のユーザＸの携帯電話機２から、着信先のユーザＹの携帯電話機２への発信が要求されたときに、発信元のユーザＸの携帯電話機２からの発信を、着信先のユーザＹの携帯電話機２に着信させるための着信処理を行う。
なお、着信処理部３２８は、発信元のユーザＸの携帯電話機２から着信先のユーザＹの携帯電話機２への着信処理の際に、着信先のユーザＹの携帯電話機２に対して、アドレス管理サーバ４から受けた発信元のユーザＸのアドレス符号（Ａ−Ｂ−２００，２００＠Ｅ）と、発信元のユーザＸの情報とを送信する（図７（Ｂ））。
【００３３】
アドレス管理プログラム４０（図９）の登録要求受信部４０２は、基地局３を介した発信元のユーザＸの携帯電話機２（電話機制御プログラム２０の着信先アドレス登録部２０２；図４）からの登録要求に応じて、この携帯電話機２から受けた着信先のユーザＹの携帯電話機２のアドレス（Ｙ’，Ｙ”）と、そのアドレス符号（１００−Ａ−Ｂ，１００＠Ｄ）と、着信先のユーザＹの携帯電話機２の情報（図７（Ａ））を受け、これらを登録処理部４０４に対して出力する。
登録処理部４０４は、登録要求受信部４０２から入力されたこれらの情報を、アドレスＤＢ４１０に登録し、これらの情報の登録を、発信元アドレス符号作成部４３０に通知する。
【００３４】
検索要求受信部４００は、基地局制御プログラム３２（図８）の着信先アドレス検索部３２２の検索要求を受け、着信先アドレス検索部３２２から受けた着信先のユーザＹの携帯電話機２のアドレス符号（Ａ−Ｂ−１００，１００＠Ｄ）と、ユーザＸのアドレス（Ｘ'，Ｘ"）を、検索処理部４２０および発信元アドレス符号作成部４３０に対して出力する。
検索処理部４２０は、検索要求受信部４００から入力されたユーザＹの携帯電話機２のアドレス符号（Ａ−Ｂ−１００，１００＠Ｄ）を用いて、アドレスＤＢ４１０を検索し、着信先のユーザＹの携帯電話機２のアドレス（Ｙ'，Ｙ"）を検索結果として得て、検索結果送信部４２２および発信元アドレス符号作成部４３０に対して出力する。
検索結果送信部４２２は、検索処理部４２０から入力された着信先のユーザＹの携帯電話機２のアドレス（Ｙ'，Ｙ"）を、検索結果として、基地局制御プログラム３２（図８）の着信先アドレス検索部３２２に対して送信する。
【００３５】
発信元アドレス符号作成部４３０は、登録処理部４０４から登録の通知があったときに、アドレスＤＢ４１０を検索し、検索処理部４２０から入力された着信先のユーザＹの携帯電話機２のアドレス（Ｙ'，Ｙ"；図７（Ｂ））に対応付けられて、発信元のユーザＸの携帯電話機２のアドレス（Ｘ'，Ｘ"）が登録されているか否かを判断する。
発信元アドレス符号作成部４３０は、着信先のユーザＹの携帯電話機２のアドレス（Ｙ'，Ｙ"）に対応付けられて、発信元のユーザＸの携帯電話機２のアドレス（Ｘ'，Ｘ"）が、アドレスＤＢ４１０に登録されていないときには、発信元のユーザＸの携帯電話機２のアドレス符号（Ａ−Ｂ−２００，２００＠Ｅ）を作成する。
なお、発信元アドレス符号作成部４３０は、作成したアドレス符号を、アドレスＤＢ４１０に自動的に登録してもよい。
また、発信元アドレス符号作成部４３０は、発信元のユーザＸの携帯電話機２のアドレス符号（Ａ−Ｂ−２００，２００＠Ｅ）を作成したときには、発信元のユーザＸの携帯電話機２のアドレス符号（Ａ−Ｂ−２００，２００＠Ｅ）を、発信元アドレス送信部４３２に対して出力する。
また、発信元アドレス符号作成部４３０は、発信元のユーザＸの携帯電話機２の情報がアドレスＤＢ４１０に存在するときには、その情報を、発信元アドレス送信部４３２に対して出力する。
【００３６】
以下、発信元アドレス符号作成部４３０の処理を、さらに説明する。
図１０は、図９に示した発信元アドレス符号作成部４３０の処理（Ｓ１０）を示すフローチャートである。
図１０に示すように、ステップ１００（Ｓ１００）において、発信元アドレス符号作成部４３０は、登録処理部４０４から、アドレスＤＢ４１０に対する情報の登録の通知があったか否かを判断する。
発信元アドレス符号作成部４３０は、登録の通知があったときにはＳ１０２の処理に進み、これ以外のときにはＳ１００の処理に留まる。
【００３７】
ステップ１０２（Ｓ１０２）において、発信元アドレス符号作成部４３０は、アドレスＤＢ４１０を検索する。
ステップ１０４（Ｓ１０４）において、発信元アドレス符号作成部４３０は、着信先の携帯電話機２のアドレスに対応付けられて、発信元の携帯電話機２のアドレスが、アドレスＤＢ４１０に登録されているか否かを判断する。
【００３８】
発信元アドレス符号作成部４３０は、発信元の携帯電話機２のアドレスが登録されているときには処理を終了し、これ以外のときにはＳ１０６の処理に進む。
ステップ１０６（Ｓ１０６）において、発信元アドレス符号作成部４３０は、発信元の携帯電話機２のアドレス符号を作成し、作成したアドレス符号とその情報とを、着信先の携帯電話機２のアドレスに対応付ける。
また、発信元アドレス符号作成部４３０は、作成したアドレス符号とその情報とを、基地局３（基地局制御プログラム３２の着信処理部３２８；図８）に対して送信する。
【００３９】
発信元アドレス送信部４３２（図９）は、発信元アドレス符号作成部４３０から入力された発信元のユーザＸの携帯電話機２のアドレス符号（Ａ−Ｂ−２００，２００＠Ｅ）と、その情報（存在するときのみ）を、基地局３上で動作する基地局制御プログラム３２（図８）の基地局制御プログラム３２の着信処理部３２８に対して送信する。
アドレスＤＢ４１０は、登録処理部４０４（および発信元アドレス符号作成部４３０）により登録された情報を記憶し、アドレス管理プログラム４０の各構成部分の処理のために提供する。
【００４０】
［携帯電話システム１の動作］
以下、携帯電話システム１の全体的な動作を説明する。
図１１は、図１に示した携帯電話システム１の第１の全体的な動作であって、携帯電話機２からアドレス管理サーバ４に電話番号を登録する際の動作（Ｓ１２）を示す通信シーケンス図である。
図１１に示すように、ステップ１２０（Ｓ１２０）において、発信元のユーザＸの携帯電話機２は、ユーザＸの操作に応じて、図５（Ａ），図６（Ａ）に示したように、着信先のユーザＹの携帯電話機２に対して、ユーザＸが任意に定めた電話番号符号（Ａ−Ｂ−１００）と、その情報とを対応付けアドレス帳の登録を受ける。
さらに、発信元のユーザＸの携帯電話機２は、ユーザＸの操作に応じて、図７（Ａ）に示したように、発信元のユーザＸの携帯電話機２の電話番号Ｘ’と、着信先のユーザＹの携帯電話機２の実際の電話番号Ｙ’と、その情報とを対応付けて、基地局３に対してアドレス帳の登録を要求する（Ｘ’：Ａ−Ｂ−１００＝Ｙ’）。
【００４１】
ステップ１２２（Ｓ１２２）において、基地局３は、携帯電話機２からのアドレスの登録要求を受けて、発信元のユーザＸの携帯電話機２の電話番号Ｘ’と、着信先のユーザＹの携帯電話機２の実際の電話番号Ｙ’と、その情報とを対応付けて、アドレス管理サーバ４に対して、発信元のユーザＸの携帯電話機２用のアドレス帳への登録を要求する（Ｘ’：Ａ−Ｂ−１００＝Ｙ’）。
ステップ１２４（Ｓ１２４）において、基地局３は、基地局３からの登録の要求に応じて、発信元のユーザＸの携帯電話機２の電話番号Ｘ’と、着信先のユーザＹの携帯電話機２の実際の電話番号Ｙ’と、その情報とを対応付けて登録する（Ｘ’：Ａ−Ｂ−１００＝Ｙ’）。
【００４２】
図１２は、図１に示した携帯電話システム１の第２の全体的な動作であって、携帯電話機２からアドレス管理サーバ４に電子メールアドレスを登録する際の動作（Ｓ１４）を示す通信シーケンス図である。
図１１に示すように、ステップ１４０（Ｓ１４０）において、発信元のユーザＸの携帯電話機２は、ユーザＸの操作に応じて、図５（Ｂ），図６（Ｂ）に示したように、着信先のユーザＹの携帯電話機２に対して、ユーザＸが任意に定めた電子メールアドレス符号（１００＠Ｄ）と、その情報とを対応付けアドレス帳の登録を受ける。
さらに、発信元のユーザＸの携帯電話機２は、ユーザＸの操作に応じて、図７（Ｂ）に示したように、発信元のユーザＸの携帯電話機２の電子メールアドレスＸ”と、着信先のユーザＹの携帯電話機２の実際の電子メールアドレスＹ”と、その情報とを対応付けて、基地局３に対してアドレス帳の登録を要求する（Ｘ”：１００＠Ｄ＝Ｙ”）。
【００４３】
ステップ１４２（Ｓ１４２）において、基地局３は、携帯電話機２からのアドレスの登録要求を受けて、発信元のユーザＸの携帯電話機２の電子メールアドレスＸ”と、着信先のユーザＹの携帯電話機２の実際の電子メールアドレスＹ”と、その情報とを対応付けて、アドレス管理サーバ４に対して、発信元のユーザＸの携帯電話機２用のアドレス帳への登録を要求する（Ｘ”：１００＠Ｄ＝Ｙ”）。
ステップ１４４（Ｓ１４４）において、基地局３は、基地局３からの登録の要求に応じて、発信元のユーザＸの携帯電話機２の電子メールアドレスＸ”と、着信先のユーザＹの携帯電話機２の実際の電子メールアドレスＹ”と、その情報とを対応付けて登録する（Ｘ”：１００＠Ｄ＝Ｙ’）。
【００４４】
図１３は、図１に示した携帯電話システム１の第３の全体的な動作であって、発信元の携帯電話機２からアドレス帳機能を用いて着信先の携帯電話機２に発信し、通話を行う際の動作（Ｓ１６）を示す通信シーケンス図である。
図１３に示すように、ステップ１６０（Ｓ１６０）において、発信元のユーザＸの携帯電話機２は、ユーザＸの操作に応じて、アドレス帳機能により、着信先のユーザＹの携帯電話機２の電話番号符号を選択する。
さらに、発信元のユーザＸの携帯電話機２は、ユーザＸの操作に応じて、基地局３に対して、その実際の電話番号Ｘ’と、着信先のユーザＹの携帯電話機２の電話番号符号とを送信し、着信先のユーザＹの携帯電話機２との間の通話のための発信を要求する。
【００４５】
ステップ１６２（Ｓ１６２）において、基地局３は、アドレス管理サーバ４に対して、着信先のユーザＹの携帯電話機２の電話番号符号と、発信元のユーザＸの携帯電話機２の実際の電話番号Ｘ’を送信し、その実際の電話番号Ｙ’の検索を要求する。
ステップ１６４（Ｓ１６４）において、アドレス管理サーバ４は、基地局３からの検索要求に応じて、着信先のユーザＹの携帯電話機２の電話番号符号と、発信元のユーザＸの携帯電話機２の実際の電話番号Ｘ’を用いて、発信元のユーザＸの携帯電話機２のアドレス帳（図７（Ａ））を検索し、検索の結果として、着信先のユーザＹの携帯電話機２の実際の電話番号符号Ｙ’を得る。
この際、アドレス管理サーバ４は、着信先のユーザＹの携帯電話機２用のアドレス帳（図７（Ｂ））に、発信元のユーザＸの携帯電話機２の実際の電話番号が登録されていることを確認し、発信元のユーザＸの携帯電話機２の電話番号符号の作成を行わない。
【００４６】
ステップ１６６（Ｓ１６６）において、アドレス管理サーバ４は、検索の結果として得られた着信先のユーザＹの携帯電話機２の実際の電話番号符号Ｙ’を、基地局３に対して返す。
ステップ１６８（Ｓ１６８）において、基地局３は、発信元のユーザＸの携帯電話機２と、着信先のユーザＹの携帯電話機２との間に通話路を設定し、これらの間の通話を可能とする。
【００４７】
図１４は、図１に示した携帯電話システム１の第４の全体的な動作であって、発信元の携帯電話機２からアドレス帳機能を用いて着信先の携帯電話機２に発信して通話を行い、さらに、発信元の携帯電話機２の電話番号符号の作成および着信先の携帯電話機２への送信を行う際の動作（Ｓ１８）を示す通信シーケンス図である。
図１４に示すように、携帯電話システム１は、図１３に示したように、Ｓ１６０〜Ｓ１６４の処理を行う。
ステップ１８０（Ｓ１８０）において、アドレス管理サーバ４は、着信先のユーザＹの携帯電話機２のアドレス帳（図７（Ｂ））に、発信元のユーザＸの携帯電話機２の実際の電話番号Ｘ’が登録されていないことを確認し、発信元のユーザＸの携帯電話機２の電話番号符号の作成を行う（Ｙ’：Ａ−Ｂ−２００＝Ｘ’）。
【００４８】
ステップ１８２（Ｓ１８２）において、アドレス管理サーバ４は、検索の結果として得られた着信先のユーザＹの携帯電話機２の実際の電話番号符号Ｙ’と、作成された発信元のユーザＸの携帯電話機２のアドレス符号と、その実際の電話番号（Ｙ’：Ａ−Ｂ−２００＝Ｘ’）とを、基地局３に対して返す。
また、アドレス管理サーバ４は、Ｓ１８０の処理により作成された発信元のユーザＸの携帯電話機２の電話番号符号と、その情報とを、基地局３に対して送信する。
ステップ１８４（Ｓ１８４）において、基地局３は、通話路設定（Ｓ１６８；図１３）の際に、着信先のユーザＹの携帯電話機２に、発信元のユーザＸの携帯電話機２の電話番号符号と、その情報とを通知する。
着信先のユーザＹの携帯電話機２に通知されたこれらの情報は、図６（Ａ）に示したように、着信先のユーザＹの携帯電話機２において登録される。
【００４９】
図１５は、図１に示した携帯電話システム１の第５の全体的な動作であって、発信元の携帯電話機２からアドレス帳機能を用いて着信先の携帯電話機２に発信し、電子メール通信を行う際の動作（Ｓ２０）を示す通信シーケンス図である。
図１５に示すように、ステップ２００（Ｓ２００）において、発信元のユーザＸの携帯電話機２は、ユーザＸの操作に応じて、アドレス帳機能により、着信先のユーザＹの携帯電話機２の電子メールアドレス符号を選択する。
さらに、発信元のユーザＸの携帯電話機２は、ユーザＸの操作に応じて、基地局３に対して、その実際の電子メールアドレスＸ"と、着信先のユーザＹの携帯電話機２の電子メールアドレス符号とを送信し、着信先のユーザＹの携帯電話機２との間のメール伝送のための発信を要求する。
【００５０】
ステップ２０２（Ｓ２０２）において、基地局３は、アドレス管理サーバ４に対して、着信先のユーザＹの携帯電話機２の電子メールアドレス符号と、発信元のユーザＸの携帯電話機２の実際の電子メールアドレスＸ”を送信し、その実際の電子メールアドレスＹ”の検索を要求する。
ステップ２０４（Ｓ２０４）において、アドレス管理サーバ４は、基地局３からの検索要求に応じて、着信先のユーザＹの携帯電話機２の電子メールアドレス符号と、発信元のユーザＸの携帯電話機２の実際の電子メールアドレスＸ”を用いて、発信元のユーザＸの携帯電話機２のアドレス帳（図７（Ａ））を検索し、検索の結果として、着信先のユーザＹの携帯電話機２の実際の電子メールアドレス符号Ｙ”を得る。
この際、アドレス管理サーバ４は、着信先のユーザＹの携帯電話機２用のアドレス帳（図７（Ｂ））に、発信元のユーザＸの携帯電話機２の実際の電子メールアドレスが登録されていることを確認し、発信元のユーザＸの携帯電話機２の電子メールアドレス符号の作成を行わない。
【００５１】
ステップ２０６（Ｓ２０６）において、アドレス管理サーバ４は、検索の結果として得られた着信先のユーザＹの携帯電話機２の実際の電子メールアドレス符号Ｙ”を、基地局３に対して返す。
ステップ２０８（Ｓ２０８）において、基地局３は、発信元のユーザＸの携帯電話機２と、着信先のユーザＹの携帯電話機２との間で電子メールを伝送する。
【００５２】
図１６は、図１に示した携帯電話システム１の第６の全体的な動作であって、発信元の携帯電話機２からアドレス帳機能を用いて着信先の携帯電話機２に発信して通話を行い、さらに、発信元の携帯電話機２の電子メールアドレス符号の作成および着信先の携帯電話機２への送信を行う際の動作（Ｓ２２）を示す通信シーケンス図である。
図１６に示すように、携帯電話システム１は、図１５に示したように、Ｓ２００〜Ｓ２０４の処理を行う。
ステップ２２０（Ｓ２２０）において、アドレス管理サーバ４は、着信先のユーザＹの携帯電話機２のアドレス帳（図７（Ｂ））に、発信元のユーザＸの携帯電話機２の実際の電子メールアドレスＸ”が登録されていないことを確認し、発信元のユーザＸの携帯電話機２のアドレス符号の作成を行う（Ｙ”：２００＠Ｅ＝Ｘ”）。
【００５３】
ステップ２２２（Ｓ２２２）において、アドレス管理サーバ４は、検索の結果として得られた着信先のユーザＹの携帯電話機２の実際の電子メールアドレス符号Ｙ”と、作成された発信元のユーザＸの携帯電話機２のアドレス符号と、その実際の電子メールアドレス（Ｙ”：２００＠Ｅ＝Ｘ”）とを、基地局３に対して返す。
また、アドレス管理サーバ４は、Ｓ２２０の処理により作成された発信元のユーザＸの携帯電話機２の電子メールアドレス符号（２００＠Ｅ）と、その情報とを、基地局３に対して送信する。
ステップ２２４（Ｓ２２４）において、基地局３は、電子メール伝送（Ｓ２０８；図１５）の際に、着信先のユーザＹの携帯電話機２に、発信元のユーザＸの携帯電話機２の電子メールアドレス符号（２００＠Ｅ）と、その情報とを通知する。
着信先のユーザＹの携帯電話機２に通知されたこれらの情報は、図６（Ｂ）に示したように、着信先のユーザＹの携帯電話機２において登録される。
【００５４】
［本発明にかかるアドレス管理方法の応用例］
以下、本発明にかかるアドレス管理方法の応用例を説明する。
図１７は、本発明にかかるアドレス管理方法を適用したコールセンター５の構成を例示する図である。
図１７に示すように、コールセンター５は、電話機１１０−１〜１１０−ｎ、電話機１１０と携帯電話システム１１６とに、有線通信回線を介して接続された電話交換機１１２、電話交換機１１２に接続されたアドレス管理サーバ４、および、サーバコンピュータ１１４から構成される。
【００５５】
電話交換機１１２は、基地局３（図１）と同様な機能を有し、電話機１１０−１〜１１０−ｎと、電話通信網１１６に接続されている着信先の電話機（図示せず）との間を接続し、通話を可能とする。
サーバコンピュータ１１４は、ＰＣ１０８−１〜１０８−ｎそれぞれに、着信先の電話機の電話番号符号と、その情報（着信先の電話機の所有者の名前・住所など）とを表示する。
コールセンター５は、サーバコンピュータ１１４によりＰＣ１０８に表示された電話番号符号を見たオペレータが、電話機１１０に対して表示された電話番号符号を入力し、着信先の電話機と通信できるように構成されている。
【００５６】
［本発明にかかるアドレス管理方法の特徴］
ここまでに説明した携帯電話システム１およびコールセンター５に適用されているアドレス管理方法は、以下のような特徴を有するので、完全な個人情報（電話番号・電子メールアドレス）の保護を達成することができる。
（１）例えば、携帯電話機２のユーザが、携帯電話機２を紛失したときであっても、携帯電話機２には、着信先のアドレス符号と、その情報とが登録されているだけなので、着信先の実際のアドレス（電話番号・電子メールアドレス）が、紛失された携帯電話機２から漏洩することがない。
（２）本発明にかかるアドレス管理方法は、既存の携帯電話通信網あるいは固定電話通信網に、アドレス管理サーバ４（図１）の機能を追加するだけで実現可能なので、既存の携帯電話あるいは固定電話の通信環境に、本発明にかかるアドレス管理方法を導入しても、これらの通信環境に与える影響が少なくて済む。
（３）一般的な電話端末により、アドレス管理サーバ４へのアドレス符号と、実際のアドレスと、その情報との登録が可能なので、本発明にかかるアドレス管理方法は、特別な電話端末の用意なしに、既存の携帯電話あるいは固定電話の通信環境に導入可能である。
【００５７】
（４）携帯電話機２およびアドレス管理サーバ４のアドレス帳の管理は、携帯電話機２のユーザそれぞれが行えばよいので、本発明にかかるアドレス管理方法が、既存の携帯電話あるいは固定電話の通信環境に導入されても、これらのアドレス帳を管理するための管理者は不要である。
（５）例えば、アドレス管理サーバ４のみにアドレス帳が存在すると、携帯電話機２が、基地局３の通信圏外にあるときには、携帯電話機２のユーザは、アドレス帳の参照ができない。
一方、本発明にかかるアドレス管理方法によれば、携帯電話機２およびアドレス管理サーバ４の両方にアドレス帳があるので、携帯電話機２が、基地局３の通信圏外にあっても、携帯電話機２のユーザは、アドレス帳を参照することができる。
【００５８】
（６）上述のように、本発明にかかるアドレス管理方法は、特別な電話端末の用意なしに、既存の携帯電話あるいは固定電話の通信環境に導入可能なので、その導入後も、携帯電話機２のユーザは、携帯電話機２およびアドレス帳を、導入以前と同じ操作により使用することができる。
（７）また、本発明にかかるアドレス管理方法をコールセンター５（図１７）に適用すると、オペレータに、着信先の個人情報（実際の電話番号・電子メールアドレス）を示す必要がないので、オペレータを介した個人情報の漏洩を、確実に防止することができる。
（８）基地局３側から盗難あるいは紛失された携帯電話機２のアドレス帳を消去するセンタープッシュと呼ばれる方法と、本発明にかかるアドレス管理方法とを併用することにより、より確実に個人情報の漏洩を防止することができる。
【産業上の利用可能性】
【００５９】
本発明は、電話通信およびデータ通信のために利用可能である。
【図面の簡単な説明】
【００６０】
【図１】本発明にかかるアドレス管理方法が適用される携帯電話システムの構成を例示する図である。
【図２】図１に示したメールサーバ、ＰＣ、携帯電話機およびアドレス管理サーバのハードウエア構成を例示する図である。
【図３】図１に示した基地局のハードウエア構成を例示する図である。
【図４】図１に示した携帯電話システムの携帯電話機において実行される電話機制御プログラムの構成を示す図である。
【図５】図４に示したアドレス符号ＤＢに記憶される着信先のアドレス符号および着信先の情報を例示する図であって、（Ａ）は、着信先の電話番号符号と、この電話番号符号に対応する着信先情報を示し、（Ｂ）は、着信先の電子メールアドレス符号と、この電子メールアドレス符号に対応する着信先情報を示す。
【図６】図４に示したアドレス符号ＤＢに記憶される発信元のアドレス符号および発信元の情報を例示する図であって、（Ａ）は、発信元の電話番号符号と、この電話番号符号に対応する発信元情報を示し、（Ｂ）は、発信元の電子メールアドレス符号と、この電子メールアドレス符号に対応する発信元情報を示す。
【図７】図１に示したアドレス管理サーバに登録されるアドレス符号、アドレスおよび携帯電話機の情報を例示する図であって、（Ａ）は、ユーザＸの携帯電話機からアドレス管理サーバに登録されるユーザＹのアドレス符号、アドレス（Ｙ，Ｙ’）および携帯電話機の情報を示し、（Ｂ）は、ユーザＹの携帯電話機からアドレス管理サーバ４に登録されるユーザＸの携帯電話機のアドレス符号、アドレス（Ｘ，Ｘ’）および携帯電話機の情報を示す。
【図８】図１に示した携帯電話システムの基地局において実行される基地局制御プログラムの構成を示す図である。
【図９】図１に示した携帯電話システムのアドレス管理サーバ上において実行されるアドレス管理プログラムの構成を示す図である。
【図１０】図９に示した発信元アドレス符号作成部の処理（Ｓ１０）を示すフローチャートである。
【図１１】図１に示した携帯電話システムの第１の全体的な動作であって、携帯電話機からアドレス管理サーバに電話番号を登録する際の動作（Ｓ１２）を示す通信シーケンス図である。
【図１２】図１に示した携帯電話システムの第２の全体的な動作であって、携帯電話機からアドレス管理サーバに電子メールアドレスを登録する際の動作（Ｓ１４）を示す通信シーケンス図である。
【図１３】図１に示した携帯電話システムの第３の全体的な動作であって、発信元の携帯電話機からアドレス帳機能を用いて着信先の携帯電話機に発信し、通話を行う際の動作（Ｓ１６）を示す通信シーケンス図である。
【図１４】図１に示した携帯電話システムの第４の全体的な動作であって、発信元の携帯電話機からアドレス帳機能を用いて着信先の携帯電話機に発信して通話を行い、さらに、発信元の携帯電話機の電話番号符号の作成および着信先の携帯電話機への送信を行う際の動作（Ｓ１８）を示す通信シーケンス図である。
【図１５】図１に示した携帯電話システムの第５の全体的な動作であって、発信元の携帯電話機からアドレス帳機能を用いて着信先の携帯電話機に発信し、電子メール通信を行う際の動作（Ｓ２０）を示す通信シーケンス図である。
【図１６】図１に示した携帯電話システムの第６の全体的な動作であって、発信元の携帯電話機からアドレス帳機能を用いて着信先の携帯電話機に発信して通話を行い、さらに、発信元の携帯電話機の電子メールアドレス符号の作成および着信先の携帯電話機への送信を行う際の動作（Ｓ２２）を示す通信シーケンス図である。
【図１７】本発明にかかるアドレス管理方法を適用したコールセンターの構成を例示する図である。
【符号の説明】
【００６１】
１・・・携帯電話システム，
１００・・・インターネット，
１０２・・・携帯電話ネットワーク，
１０４・・・メールサーバ，
１２０・・・本体，
１２２・・・ＣＰＵ，
１２４・・・メモリ，
１２６・・・入出力装置，
１２８・・・通信装置，
１３０・・・記録装置，
１３２・・・記録媒体，
１０６・・・ＬＡＮ／ＷＡＮ，
１０９・・・ＰＣ，
２・・・携帯電話機，
２０・・・電話機制御プログラム，
２００・・・ＵＩ部，
２０２・・・着信先アドレス登録部，
２０４・・・着信先アドレス符号登録部，
２０６・・・アドレス符号ＤＢ，
２０８・・・発信処理部，
２１０・・・通信処理部，
２２０・・・着信処理部，
２２２・・・発信元アドレス符号登録部，
３・・・基地局，
３２・・・基地局制御プログラム，
３２０・・・着信先情報受信部，
３２２・・・着信先アドレス検索部，
３２４・・・着信先アドレス変換部，
３２６・・・発信処理部，
３２８・・・着信処理部，
３００・・・アンテナ，
３０２・・・プログラマブル交換機，
３０４・・・無線通信装置，
３０６・・・携帯電話ネットワークＩＦ，
３０８・・・音声応答・ＶＭ装置，
４・・・アドレス管理サーバ，
４０・・・アドレス管理プログラム，
４００・・・検索要求受信部，
４０２・・・登録要求受信部，
４０４・・・登録処理部，
４１０・・・アドレスＤＢ，
４２０・・・検索処理部，
４２２・・・検索結果送信部，
４３０・・・発信元アドレス作成部，
４３２・・・発信元アドレス送信部，
【図１】
0004558765.tif 000002
【図２】
0004558765.tif 000003
【図３】
0004558765.tif 000004
【図４】
0004558765.tif 000005
【図５】
0004558765.tif 000006
【図６】
0004558765.tif 000007
【図７】
0004558765.tif 000008
【図８】
0004558765.tif 000009
【図９】
0004558765.tif 000010
【図１０】
0004558765.tif 000011
【図１１】
0004558765.tif 000012
【図１２】
0004558765.tif 000013
【図１３】
0004558765.tif 000014
【図１４】
0004558765.tif 000015
【図１５】
0004558765.tif 000016
【図１６】
0004558765.tif 000017
【図１７】
0004558765.tif 000018